(57)【要約】ネットワークノードにより同一チャネル干渉情報を提供するための方法は、隣接ネットワークノードと接続された少なくとも１つのユーザ装置（ＵＥ）のために情報を受信することと、前記ネットワークノードと接続されたユーザ装置（ＵＥ）のために、受信した前記情報に基づく同一チャネル干渉リストを決定することと、前記同一チャネル干渉リストを前記ネットワークノードと接続されたＵＥに送信することとを含む。
2014518483.tif 000002
【特許請求の範囲】
【請求項１】
ネットワークノードによって同一チャネル干渉情報を提供する方法であって、
隣接ネットワークノードと接続された少なくとも１つのユーザ装置（ＵＥ）のために情報を受信することと、
前記ネットワークノードと接続されたユーザ装置（ＵＥ）のために、受信した前記情報に基づく同一チャネル干渉リストを決定することと、
前記同一チャネル干渉リストを前記ネットワークノードと接続されたＵＥに送信することと
を有することを特徴とする方法。
【請求項２】
前記同一チャネル干渉リストが更新されているかどうかを判定することと、
更新されているならば、前記同一チャネル干渉リストを送信することと
を更に有することを特徴とする請求項１に記載の方法。
【請求項３】
ネットワークノードと接続されたＵＥの利用位置情報を、前記同一チャネル干渉リストを決定することにおいて利用することを更に有することを特徴とする請求項１に記載の方法。
【請求項４】
受信した前記情報が無線ネットワーク一時識別子（ＲＮＴＩ）であることを特徴とする請求項１に記載の方法。
【請求項５】
基準信号受信電力（ＲＳＲＰ）値を前記ネットワークノードに接続されたユーザ装置から受信することを更に有することを特徴とする請求項１に記載の方法。
【請求項６】
前記ＲＳＲＰが所定の域値を下回るチャネルを前記同一チャネル干渉リストから削除することを更に有することを特徴とする請求項１に記載の方法。
【請求項７】
前記同一チャネル干渉リストが、無線リソース制御（ＲＲＣ）シグナリングメッセージを通して送信されることを特徴とする請求項１に記載の方法。
【請求項８】
前記同一チャネル干渉リストが、媒体アクセス制御（ＭＡＣ）シグナリングメッセージを通して送信されることを特徴とする請求項１に記載の方法。
【請求項９】
同一の同一チャネル干渉リストが前記ネットワークノードに接続されたＵＥに送信されることを特徴とする請求項１に記載の方法。
【請求項１０】
前記ネットワークノードに接続されたＵＥに送信された前記同一チャネル干渉リストが各受信ＵＥに固有であることを特徴とする請求項１に記載の方法。
【請求項１１】
ネットワークノードであって、
隣接ノードと接続されたユーザ装置と関連する前記隣接ノードからの情報を受信する受信手段と、
受信した前記情報に基づいた同一チャネル干渉リストを決定するプロセッサと、
受信した前記ユーザ装置情報と前記同一チャネル干渉リストとを記憶するメモリと、
前記同一チャネル干渉リストを前記ネットワークノードと接続されたＵＥに送信する送信手段と
を有することを特徴とするネットワークノード。
【請求項１２】
コンピュータプログラムであって、実行された際に、
隣接ネットワークノードに接続された少なくとも１つのアクティブなユーザ装置（ＵＥ）のために情報を受信することと、
前記ネットワークノードに接続されたユーザ装置（ＵＥ）のために、受信した前記情報に基づく同一チャネル干渉リストを決定することと、
前記同一チャネル干渉リストを前記ネットワークノードに接続されたＵＥに送信することと
を、前記ネットワークノードに実行させるためのコンピュータ読取り可能なプログラムモジュールを含むコンピュータプログラム。
【請求項１３】
在圏セルと接続されたユーザ装置の受信性能を改善する方法であって、
隣接セルを検出することと、
検出された前記セルの信号強度値を測定することと、
検出された前記セルと、対応する前記信号強度値とを記憶することと、
同一チャネルセル干渉リストを受信することと、
前記受信したリストに含まれたセルのＩＤと記憶された前記セルのＩＤとを比較して一致するセルを識別することと、
前記ユーザ装置により受信したデータのデコーディング性能を改善するために一致したセルのＩＤを利用することと
を有する方法。
【請求項１４】
セルを検出するために所定の間隔でセルを検索することを更に有することを特徴とする請求項１３に記載の方法。
【請求項１５】
検出された前記セルが、前記ユーザ装置の潜在的なハンドオーバー候補であることを特徴とする請求項１３に記載の方法。
【請求項１６】
所定の間隔で前記信号強度値を測定することを更に有することを特徴とする請求項１４に記載の方法。
【請求項１７】
ユーザ装置であって、
在圏セルと通信するための通信インタフェースと、
隣接セルをセル検索プロセスで検出し、前記在圏セルから同一チャネル干渉リストを受信するためのセル検索ユニットと、
検出された前記セルの信号強度値を測定するためのプロセッサと、
検出された前記セルのＩＤと測定された前記信号強度値とを記憶するためのメモリであって、前記プロセッサが、前記同一チャネル干渉リストに含まれたセルのセルＩＤのうちのどれが検出された前記リストに属するか判定し、判定された情報は、前記ユーザ装置におけるデコーディングを改善するために用いられるところのメモリと
を有することを特徴とするユーザ装置。
【発明の詳細な説明】
【技術分野】
【０００１】
本発明は、一般にモバイル端末に関し、そしてより具体的には、端末の性能を改善するための方法及び装置に関連する。
【背景技術】
【０００２】
３ＧＰＰのＬＴＥ（第３世代パートナーシップ計画長期発展）とＨＳＰＡ（高速パケットアクセス）標準の来たるべきリリースはデュアルキャリヤオペレーションを容易にする。デュアルキャリヤオペレーションにおいて、ユーザ装置（ＵＥ）は同時に複数のシステムキャリヤの上で送信し、受信することができる。デュアルキャリヤシステム１００は図１中で説明される。デュアルキャリヤ可能なＵＥ１１２は、複数のシステムキャリヤ（ｆ１とｆ２）上で同時に在圏セル１１０に送信し、在圏セルから受信することができる。デュアルキャリヤシステムは最大スループットを増大させることができる。Ｎがキャリヤの数とすると、スループットはＮとだいたい比例している。従って、デュアルキャリヤシステムの中のスループットは係数２で増大することができる（１００のＭｂ／ｓから例えば２００のＭｂ／ｓ）。デュアルキャリヤシステム中での使用のためのデュアルキャリヤ（またはデュアルセル）モバイル端末（またはＵＥ）に、同時に２つのダウンリンク（および２つのアップリンクまたはそのいずれか）を処理する能力が必要である。一般に、これは、デュアルキャリヤモバイル端末（チャンネル推定／デコーディングなどなどの）のベースバンド処理能力がシングルキャリヤモバイル端末のそれの２倍であることを意味している。
【０００３】
別々のサイトに置かれたアンテナからの送信の整合は、高度なセル間干渉整合（ＩＣＩＣ）、整合済みマルチポイント（ＣｏＭＰ）送信、およびリモート無線ユニット（ＲＲＵ）の導入などのこれらの標準においてまた発展した。これらの技術は、ビームフォーミングとヌル点形成（ｎｕｌｌｉｎｇ）とを含む、いくつかのアンテナ位置からの高速な整合済み送信を可能にする。ヌル点形成によって、干渉は特定のＵＥに対して大幅に減らされ得る。コヒーレントなＣｏＭＰ送信において、ヌル点形成利得は、共同でスケジューリングされたモバイルおよびアンテナプリコーディング重みを選ぶアルゴリズムに含められている。
【０００４】
能力を増大させるために、ＭＵ−ＭＩＭＯ（複数ユーザ−複数入力複数出力）が使われる。ＭＵ−ＭＩＭＯにおいて、無線リソースは、複数のＵＥに同一の時間及び周波数で送信することによって再利用される。
【０００５】
デュアルキャリヤ（デュアルセル）ＬＴＥ／ＨＳＰＡはおそらくホットスポット領域にだけ応用されるであろうし、また、シングル搬送波伝送では不十分である場合などの非常に高いスループットのシナリオで必要とされるだけである。従って、多くの使用ケースの（そこで、シングルキャリヤが使われる）中で、ベースバンド処理はモバイル端末において十分に利用されない。セルラシステムの中の共通のシナリオによると、図２で示すように、端末２１２は２つのセルの間のセル境界にある。これらのセルの１つは在圏セル（ＳＣ）２１０であり、他のセルは隣接セル（ＮＣ）（または複数の隣接セル）２２０である。在圏セル２１０とＵＥ２１２との間で伝達されている信号Ｓは、隣接セル２２０からの干渉Ｉにさらされている。そのようなシナリオにおいて、信号干渉比（ＳＩまたはＳＩＲまたはキャリヤ−干渉比（Ｃ／Ｉ））は約０ｄＢである（ＳＩ≒０）。結果として、完全なダウンリンク（ＤＬ）（およびアップリンク（ＵＬ））のスループットは達成できない。しかしながら、これらのシナリオにおいて、干渉信号Ｉを検出し、キャンセルするために余分な処理パワーを使うことができる。
【０００６】
セルに接続された端末は、物理ダウンリンク制御チャネル（ＰＤＣＣＨ）上の制御情報を受信する。この情報は、それ（すなわち端末）が現在のサブフレームの中のダウンリンクにおいてスケジューリングされるかどうかを決定するために端末によって利用されることができる。端末は、各サブフレームにおいて盲目的に複数のＰＤＣＣＨをデコードすることを試みる。デコーディングが成功しているならば、それ（すなわちデコードされた情報）は、データ送信を受信することに必要なパラメータを含んでいる。ＰＤＣＣＨはまた、リソースブロックと、データ伝送（すなわち、物理的ダウンリンク共有チャネルＰＤＳＣＨに送信されたデータ）のために使われた変調およびコーディングとに関する情報を提供する。
【０００７】
しかし、取消しシナリオにおいて遭遇する重要な問題は、スケジューリングされたユーザについての情報を得ることである。この情報（スケジューリングされたユーザについての情報）は、キャンセル処理に用いることができる、隣接セルからの信号を受信するために必要である。端末（それはＰＤＣＣＨをデコードしている）は、どの端末が隣接セルに接続されているか知らないので、隣接セルの中で送信されたＰＤＣＣＨの盲目的なデコーディングは一般に実現可能でない。これはキャンセル処理をかなり複雑にする。
【０００８】
従って、モバイル端末が、隣接セルから対応する隣接モバイル端末へと転送された信号の高度な干渉キャンセルを行うことを可能にするために、モバイル端末における盲目的なＰＤＣＣＨデコーディングを改善するための方法と装置のための必要性が存在している。
【０００９】
さらに、ビームフォーミング、ヌル点形成、ＭＵ−ＭＩＭＯ、またはＣｏＭＰなどの送信スキームが使用される場合、同じ無線リソースで共通スケジューリング（ｃｏｓｃｈｅｄｕｌｉｎｇ）するためにＵＥのグループを選ぶだけでなくプリコーディングを選ぶ際にＵＥ干渉キャンセル能力を考慮することが望ましい。
【発明の概要】
【００１０】
こ本明細書において使われる用語「備える」と「備えている」とが、説明された機能、整数、ステップ、または構成品の存在を特定するために採用されることは強調されるべきである。しかし、これらの用語の使用は１つ以上の他の機能、整数、ステップ、構成品、またはグループの存在または追加を妨げない。
【００１１】
模範的な実施形態において、前記した目的および他の目的は、ネットワークノードによって隣接ネットワークノードから受信した情報を利用するための方法、システム、および装置で達成される。
【００１２】
模範的な実施形態によると、ネットワークノードによる同一チャネルの干渉情報の提供方法が開示される。この方法は、隣接のネットワークノードと接続した少なくとも１つのユーザ装置（ＵＥ）のための情報を受信する工程と、ネットワークノードと接続したユーザ装置（ＵＥ）のために同一チャネルの干渉リストを決定する工程であって、前記同一チャネルの干渉リストは受信した前記情報に基づいているところの工程と、前記同一チャネルの干渉リストをネットワークノードと接続したＵＥに送信する工程とを含む。
【００１３】
別の模範的な実施形態によると、在圏セルに接続されたユーザ装置の受信性能を改善する方法が開示される。この方法は、隣接セルを検出する工程と、検出されたセルの信号の強度値を測定する工程と、検出されたセル及び対応する測定された信号の強度値を記憶する工程と、同一チャネルセル干渉リストを受信する工程と、受信した前記リストの中のセルのＩＤと記憶された前記セルのＩＤとを比較して一致するセルを識別する工程と、一致したセルのＩＤを利用して前記ユーザ装置から受信したデータのでコーディング性能を改善する工程とを含む。
【００１４】
本発明の目的と利点とは、図面と連携した以下の詳細な説明を読むことによって理解されるであろう。
【図面の簡単な説明】
【００１５】
【図１】デュアルキャリヤ端末によってデュアルキャリヤシステムを例示する図。
【図２】デュアルキャリヤ端末によって１つの搬送システムを例示する図。
【図３】模範的な実施形態に従ってセルラシステムを説明する図。
【図４】模範的な実施形態に従って方法を説明する図。
【図５】模範的な実施形態に従って方法を説明する図。
【図６】模範的な実施形態に従ってネットワークノードを説明する図。
【図７】模範的な実施形態に従ってユーザ端末を説明する図。
【発明を実施するための形態】
【００１６】
本発明の様々な機能は今から図を参照参照して説明されるであろう。図において、同様の部分は同じ参照文字によって識別される。
【００１７】
本発明の様々な面は今から多くの模範的な実施形態に関連してより詳しく説明されるであろう。本発明についての理解を容易にするために、本発明の多くの面が、コンピュータシステムまたはマイクロ命令を実行することが可能な他のハードウェアの要素によって実行される一連の動作で説明される。実施形態のそれぞれにおいて、様々な動作が、専用回路（例えば、専門的な機能を実行するために相互接続されたアナログおよび／または離散的な論理ゲート）によって、あるいは適当な命令セットをプログラムされた１つ以上のプロセッサによって、またはそれら両方の組み合わせによって実行されるであろうことは認められるであろう。１以上の説明された動作を実行するよう「構成した回路」なる用語は、ここでは、そのような実施形態（すなわち１つ以上の専用回路および／または１つ以上のプログラムされたプロセッサ）を参照するために使われる。
【００１８】
さらに、本発明は、さらに、こに説明された技術をプロセッサに実行させるであろう計算機命令の適切なセットを含んでいる固体メモリ、磁気ディスク、または光ディスクなどのコンピュータ読取り可能な担体のどのような形式においてでも完全に具現化すると考えることができる。従って、本発明の様々な面はさまざまな形式に具現化されることができ、すべてのそのような形式は、本発明の範囲の中にあると考えられる。本発明の様々な面のそれぞれのために、上記説明されたような実施形態の形式は、ここでは、説明された動作を実行するよう「構成されたロジック」または代わりに、説明された動作を実行する「ロジック」と呼ぶことがある。
【００１９】
特定のＵＥまたは端末のための在圏セル（ＳＣ）は、特定のＵＥへ（同一チャネル）干渉者であることが予想される他の（現在アクティブである）ＵＥまたは端末についての情報をネットワークから受信することができる。この情報は例えば、それらの端末の無線ネットワークの一時的な識別子（ＲＮＴＩ）という形であってもよい。在圏ｅＮｏｄｅＢは例えば、ＭＵ−ＭＩＭＯスケジューリングまたはＲＲＵのｅＮｏｄｅＢコントロールからの干渉送信についての（主要な）情報を持つことができる。干渉伝送情報はまた、Ｘ２インタフェースの上で隣接セルの間で交換することができる。
【００２０】
在圏セルは、干渉送信に寄与することができるＵＥのリストを作成するために干渉送信情報を使うことができる。干渉送信に寄与しているＵＥのリストは同一チャネル干渉リストと称されてもよい。干渉が隣接セルの中のＵＥからであるならば、このリストはまた、ＵＥ隣人リスト（すなわちＵＥ隣人リストは同一チャネルの干渉リストの特定の例である）と称することができる。このリストは、（在圏セルによってサービスされる）ＵＥに送信されることができる。これらのＵＥは、その時、例えば在圏セルだけでなく隣接セルのＰＤＣＣＨ探索空間を縮小することによる干渉キャンセル手順においてこの情報を使うことができる。
【００２１】
ＭＵ−ＭＩＭＯにおいて、干渉ＵＥ（「干渉者」）は、「被干渉」ＵＥ（被干渉ＵＥは、干渉ＵＥによって干渉されたＵＥであってもよい）と同じセルに接続される。この場合に、干渉ＵＥの出どころは在圏セルである。ＵＥの同一チャネル干渉リストは、例えば無線リソースコントロール（ＲＲＣ）シグナリング、媒体アクセス制御（ＭＡＣ）シグナリング、またはそれと同様のものを通してＵＥまたは端末に送信されることができる。リストは例えば１００ミリ秒または１秒ごとなど周期的にアップデートできる。リストはまた各転送時間間隔（ＴＴＩ）同一チャネルスケジューリングにアドレスしているスケジューリング情報に含めることができる。
【００２２】
特定の（在圏）セルに接続される別々のＵＥに提供された同一チャネルの干渉者リストは、例えば隣接セルから転送された情報と、在圏セルの中の別々のＵＥについてのそれらの位置などの知識とのうち少なくとも１つに基づいて、（互いに）変化することができる。リストはまた、在圏セルにおいて動作しているすべての端末にブロードキャストされる１つの形式（すなわち同一のリスト）であってよい。いくつかの実施形態において、特定の在圏セルに接続されたＵＥのいくつかが同一のリストを受信する可能性がある一方、他は変化するリストを受信する可能性がある。
【００２３】
模範的な実施形態に応じたセルラシステムは図３中で説明される。セルラシステム３００は３つのセル３１０、３２０、および３３０を含んでよい。セル３１０、３２０、および３３０はまたノードまたはネットワークノードと称されてよい。ＵＥの大多数はセルラシステム３００中で動作できる。図３の実施形態において、６つのＵＥ（ＵＥ３１２、３１４、３２２、３２４、３２６、および３３２）が含まれる。ＵＥ３１２とＵＥ３１４のそれぞれはセル３１０に（と）接続され得る。ＵＥ３１２とＵＥ３１４のために、セル３１０は在圏セル（ＳＣ）であることができ、セル３２０とセル３３０の一方または両方は隣接セル（ＮＣ）であり得る。ＵＥ３２２、ＵＥ３２４とＵＥ３２６のために、セル３２０は在圏セルであることができ、セル３１０とセル３３０の一方または両方は隣接セルであり得る。ＵＥ３３２のために、セル３３０は在圏セルであることができ、セル３１０とセル３２０の一方または両方は隣接セルであり得る。破線は、セル３２０からＵＥ３１２への干渉、およびセル３２０とセル３３０からＵＥ３１４への干渉を表している。
【００２４】
説明したＵＥ３１２および３１４またはそのうちのひとつは隣接セルから干渉を被ることがある。セル３２０およびセル３３０は、セル３１０へと、それらに接続されたＵＥ（すなわち、ＵＥ３２２、３２４、３２６、および３３２）についての情報を送信または伝送できる。この情報は例えばＸ２インタフェースを通して信号で伝えることができる。セル３１０は、セル３２０およびセル３３０から受信した情報と、ＵＥ３１２およびＵＥ３１４の位置に関する知識とに基づいたＵＥ同一チャネル干渉リストをコンパイルすることができる。このリストはその時ＵＥ３１２とＵＥ３１４とに送信できる。
【００２５】
図３のシステム３００において、セル３１０によってコンパイルされたリストは、セル３２０に接続しているＵＥ３２２、ＵＥ３２４、ＵＥ３２６のためのＲＮＴＩ（およびセルＩＤ）と、セル３３０に接続されるＵＥ３３２のためのＲＮＴＩ（およびセルＩＤ）を含み得る。セル３１０は、ＵＥ３２２、３２４、および３２６を干渉者（または、潜在的な干渉者）として識別しているリストをＵＥ３１２に送信（すなわちブロードキャスト）でき、ＵＥ３２２、３２４、３２６、および３３２を干渉者として識別しているリストがＵＥ３１４に送信され得る。これは、部分的には、セル３１０に知られているＵＥ３１２及びＵＥ３１４の位置に基づく。ＵＥ３１２とＵＥ３１４は、そのリストを含むセル３１０からの専用ＲＲＣシグナリングメッセージのそれぞれを受信し得る。
【００２６】
いくつかの実施形態において、接続されたＵＥからのハンドオーバー参照信号受信電力（ＲＳＲＰ）などの信号電力の測定値はまた、同一チャネル干渉リストを制限するために使うことができる。干渉されたＵＥの無線ネットワーク情報（ＲＳＲＰなど）は、地理的位置より精密または正確な、隣接セルからの潜在的な干渉のインジケータであることがある。隣接セル上のＲＳＲＰ測定値は、各ＵＥによってされて行われるハンドオーバー測定値から得られ、在圏ネットワークノードに報告される。干渉リストは、近接した隣人、従って大きな干渉の可能性を示す或る所定の閾値を上回るＲＳＲＰを有する隣接セルまで縮小され得る。例えば、図３のセルラシステム３００において、ハンドオーバー測定値はＵＥ３１２とＵＥ３１４（すなわちセル３１０と接続したすべてのＵＥ）からセル３１０によって得ることができる。
【００２７】
すべてのＵＥ（ＳＣと接続された）への同一のリストの提出は、ＵＥにおいてより大きな探索空間を必要とする一方で、ネットワークにおいて容易に実施できる。各ＵＥ（ＳＣと接続された）へのより詳細なリストの提出は、ＵＥにおけるデコーディングにおける探索空間の縮小につれてネットワークノードにおけるより多くの知識を必要とする可能性がある。
【００２８】
ＭＵ−ＭＩＭＯにおいて、いくつかのＵＥは異なるプリコーディング（すなわちユーザの間の直交する送信）を利用している同じノードからスケジューリングされ得る。ＵＥは、直交する送信にもかかわらず、送信、受信、およびチャンネル推定における不完全性のため互いを干渉することがあり得る。干渉ＵＥは被干渉ＵＥと同一（在圏）セルの上にあるかもしれない。そのようなシナリオにおいて、在圏セルは調整されたスケジューリングに関する知識を持っている。この同一ノードはすべてのＵＥをスケジューリングすることができ、すべてのスケジューリングインスタント（すなわち各ＴＴＩ）の間に、同一チャネルの干渉リストのアップデート（もしあれば）を提供することができる。
【００２９】
図３を参照して、ＵＥ３１２とＵＥ３１４は同じリソース（同じリソースブロック、時間、および周波数の上のＭＵ−ＭＩＭＯ送信）上でスケジューリングされる。ＵＥ３１２はＭＡＣスケジューリングメッセージにおいてＵＥ３１４についての情報を受信できる。同様に、ＵＥ３１４はＵＥ３１２についての情報を受信できる。直交するＵＥの同様なグループ化はＣｏＭＰにも適用できるけれども、この場合に、それらは、効果的にヌル点形成でき、その結果干渉者をかなり減少させる。予想されているヌル点形成の影響に依存して、ＵＥはリストに含まれるか、リストから除外され得る。また、ＵＥにおいて効果的な干渉キャンセルを達成する可能性は、ＣｏＭＰのためにその逆で使われることができる。リストに特定のＵＥを含めることによって、それらは首尾一貫共同でスケジューリングされて、従ってＣｏＭＰスケジューリングのためにグループ化される。
【００３０】
ネットワークノード（例えばｅＮｏｄｅＢなどの）中で実施され得る模範的な実施形態に応じた方法は図４中で説明される。ネットワークノードは、４１０において潜在的な同一チャネルの干渉ＵＥについての情報を得ることができる。この情報は異なる隣接セルについてのものか、またはＭＵ−ＭＩＭＯスケジューリングにおける同一セルの範囲中であるかもしれない。この情報は、例えばＲＮＴＩなどの物理層ＵＥ情報またはＲＳＲＰなどの無線ネットワーク情報を含んでよい。受信された情報が隣接セルからのＵＥに対するＲＮＴＩであるならば、対応するセルＩＤもまた受信できる。
【００３１】
この情報は、セルに現在アクティブに接続されたＵＥのＰＤＣＣＨにおいてＣＲＣのスクランブリングを決定するために利用できる。例えば、ＲＲＣ＿ｃｏｎｎｅｃｔｅｄにおけるすべてのＵＥ、すなわちｎｏｎ−ＤＲＸモードの中にあるか、ショートＤＲＸモードにあるＵＥはＵＥ隣接リストに含めることができる。同一チャネルの干渉リストは定期的にアップデートでき、隣接セル情報は例えば１００−１０００ミリ秒ごとにＸ２インタフェース上に送信できる。
【００３２】
在圏セルは、４２０において、在圏セルに接続された１つ以上のＵＥに転送されるＵＥ同一チャネル干渉リストをコンパイルできる。図３のシステム３００について上記説明したとおり、在圏セルに接続されたすべてのＵＥ送信される１つのＵＥ隣接リスト（すべての隣接セルから受信した、集合同一チャネル干渉リスト）、または、在圏セルに接続されたＵＥの別のサブセットに送信された専用リストがあり得る。制御装置は、４３０において、同一チャネル干渉リストに何らかの変化が生じているかどうかを決定できる。変化が起こったなら（“ＹＥＳ”）、４４０において、新しい（アップデートされた）リストは変化によって影響されたＵＥに転送され得る。送信には、例えばＲＲＣシグナリング、ＭＡＣスケジューリング、または同様の者を利用できるが、それらに制限されない。どの変化も起きなかったなら（“ＮＯ”）、在圏セルは、ＵＥ情報の受信を続行するか、あるいは受信を待ち続けてもよい。
【００３３】
モバイル端末（すなわちＵＥ）中で実施できる模範的な実施形態に応じた方法は図５中で説明される。ＵＥは、５１０において、（在圏）セルに接続できる。ＵＥはあらかじめ決定された間隔で、５２０において、ハンドオーバーのために適当な（隣接）セルを識別するか、検出するようにセル検索を実行できる。セルのＩＤは、５３０において記憶できる。信号測定（例えばＲＳＲＰ）は、５４０において、検出されたセルについて所定の間隔でされ得る。測定値はまた記憶され得る。ＵＥは、５５０において、在圏セルから、（ＲＮＴＩを含む）ＵＥ同一チャネル干渉リストを受信できる。ＵＥは、（在圏セルから受信された）ＲＮＴＩのどれが検出された（そして記憶された）隣接セルリストに属しているかを５６０において決定できる。一般に、ＵＥが隣接セルを検出するならば、その隣接セルでそのＵＥへとスケジューリングされたデータは、在圏セルからＵＥへとスケジューリングされたデータに干渉する可能性がある。
【００３４】
すべての適切なＲＮＴＩ（検出された隣接リストの中のセルに属しているもの）は、５７０において、ＵＥに転送されるパケットのデコーディング性能を改善するためにその情報を用いるデコーディングユニットに提供される。例えばＬＴＥにおいて、ＵＥは、ＰＤＣＣＨのスクランブルを解除し、デコードするために、ＲＮＴＩおよび隣接セルのＩＤ（ＮＣＩ）の知識を使うことができる。隣接セルの中のＵＥによって用いられたＲＮＴＩの知識は、（接続された）ＵＥにスケジューリングされたリソースブロック（ＲＢ）に干渉し得る、その「隣接」ＵＥにスケジューリングされたＰＤＳＣＨリソースブロックを決定することを可能にする。そのような知識は、干渉除去受信器に用いることができる。
【００３５】
上記説明したような模範的な実施形態はネットワークノードにおいて実施できる。ネットワークノード６００は図６中で説明される。図３のセル３１０はネットワークノードであってよい。ネットワークノード６００はとりわけ受信手段６１０、プロセッサ６２０、メモリという形のコンピュータ読取り可能媒体６３０、および送信手段６４０を含んでよい。受信手段と送信手段はまたトランシーバーまたは通信インタフェースと称されることがある。トランシーバーまたは通信インタフェースは独立した受信モジュール及び送信モジュールを含んでもよい。
【００３６】
受信手段６１０は例えば、隣接ノード（図３のセル３２０など）から情報を受信できる。プロセッサ６２０は受信した情報に基づいた同一チャネル干渉リストを決定できる。受信した情報と同一チャネル干渉リストはメモリ６３０に保存され得る。送信手段６４０は、選択的に同一チャネル干渉リストを、ネットワークノードに接続されている対応するＵＥに転送できる。受信手段６１０、プロセッサ６２０、メモリ６３０、および送信手段６４０はバス６５０を経由で相互接続できる。
【００３７】
一実施形態において、プロセッサ６２０が、図４中で説明されたステップを実行可能とするために、メモリ６３０は、プロセッサ６２０によって実行されるときに、ネットワークノード６００に、図４中で説明されたステップのすべてまたはいくつかを実行させるコンピュータプログラムモジュールとともにコンピュータプログラム（ＣＰ）６３５を含む。
【００３８】
ユーザ装置すなわちモバイル端末は、図５を参照して上述した方法を容易にすることができる。ユーザ装置７００は図７において説明される。そのようなユーザ装置は例えば携帯電話またはポータブル・コンピューティング装置であってもよい。ユーザ装置７００は、とりわけ、バス７５０経由で相互接続されたトランシーバー７１０、プロセッサ７２０、メモリという形のコンピュータの読取り可能媒体７３０、セル検索ユニット７６０、およびデコーダ７７０を含んでよい。トランシーバー７１０は在圏セル（ひとつのネットワークノード）との接続を可能とすることができる。トランシーバーは通信インタフェースと称されることがある。それはまた独立した受信モジュール及び送信モジュールを含むことがある。
【００３９】
セル検索ユニット７６０は隣接セル（ノード）をセル検索プロセスで検出できる。検出されたセルのＩＤはメモリ７３０に保存できる。プロセッサ７２０は、またメモリ７３０に保存されている検出されたセルの信号強度を測定できる。トランシーバー７１０は在圏セルから同一チャネル干渉リストを受信できる。プロセッサ７２０は、同一チャネル干渉リストの中のどのＵＥが検出された隣接セルに属しているかを決定することができる。デコーディングユニット７７０は、モバイル端末で受信したデータパケットのデコーディングを改善するためにこの情報を使うことができる。
【００４０】
一実施形態において、プロセッサ７２０が、図５中で説明されたステップを実行可能とするために、メモリは、プロセッサ７２０によって実行されるときに、モバイル通信装置器具に、図５中で説明されたステップのすべてまたはいくつかを実行させるコンピュータプログラムモジュールとともにコンピュータプログラム（ＣＰ）７３５を含む。
【００４１】
ネットワークノード６００のメモリ６３０（及びユーザ装置７００のメモリ７３０）は例えばフラッシュメモリ、ＲＡＭ（ランダムアクセスメモリ）、ＲＯＭ（読取り専用記憶装置）、またはＥＥＰＲＯＭ（電気で消去可能のプログラマブルＲＯＭ）であってよく、上で説明されたコンピュータプログラムモジュールは代替の実施形態において、ネットワークノード６００（そしてユーザ装置７００）中の追加記憶域（不図示）上に分散されてもよい。プロセッサは１つのＣＰＵ（中央処理装置）のみなえらず、ネットワークノード６００（およびユーザ装置７００）中の２つ以上の処理装置を含んでもよい。例えば、プロセッサは汎用マイクロプロセッサ、命令セットプロセッサおよび関連チップセットまたはそれらの少なくともいずれか、およびＡＳＩＣ（特定用途向け集積回路）またはそのいずれかなどの専用マイクロプロセッサを含んでもよい。プロセッサはキャッシング目的のためにまたボードメモリを有してもよい。
【００４２】
プリセットされた半恒久的なスケジューリングが一定のＵＥに実行されるか、、またはマルチメディアブロードキャスト・マルチキャストサービス（ＭＢＭＳ）タイプのブロードキャストが適用されるか、またはその両方ならば、ここで説明したような模範的な方法は、専用同一チャネル干渉リストの代替としてあるいはそれとともに用いることができる。
【００４３】
ここに説明されたように模範的な実施形態を実施することによって、ＵＥすなわち端末は、隣接セルのＰＤＣＣＨデコーディングにおいて探索空間を減らすことができる。干渉者の検出率は、より高いリンクスループットと増大したシステム容量とにつながる干渉除去成功率とももに、改善することができる。
【００４４】
さらに、ＵＥにおけるより多くのネットワークで制御された干渉除去により、ヌル点形成と除去との組み合わせは、より効率的な方法で達成できる。ここで説明したように、リソース割当てはまた、模範的な性能強化方法の結果として最適化できる。
【００４５】
模範的な実施形態がＬＴＥで議論されたのに対して、それらはＨＳＰＡのためにも等しく適用可能であり得る。ＮＣＩとともにＲＮＴＩは、隣接セルからの高速共用制御チャンネル（ＨＳ−ＳＣＣＨ）をデコードするのに十分な情報、したがってＨＳ−ＰＤＳＣＨデータの受信に干渉し得るチャンネライゼーションコードなどの知識をＵＥに対して提供する。
【００４６】
本発明は特定の実施例に関して説明されている。しかし、上述した実施形態以外の特定の形式において本発明を具体的に示すことが可能であることは当業者に直ちには明白であろう。説明された実施形態は単に説明に役立つものであって、どのような点でも制限的であると考えられるべきでない。発明の範囲は、先述した説明ではなく添付した特許請求の範囲によって与えられて、特許請求の範囲に入るすべてのバリエーション及び均等物は、包含されることを意図している。
【図１】
2014518483.tif 000003
【図２】
2014518483.tif 000004
【図３】
2014518483.tif 000005
【図４】
2014518483.tif 000006
【図５】
2014518483.tif 000007
【図６】
2014518483.tif 000008
【図７】
2014518483.tif 000009
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
ネットワークノードによって同一チャネル干渉情報を提供する方法であって、
隣接ネットワークノードと接続された少なくとも１つのユーザ装置（ＵＥ）のために情報を隣接ネットワークノードから受信することと、
前記ネットワークノードと接続されたユーザ装置（ＵＥ）のために、受信した前記情報に基づく同一チャネル干渉リストを決定することと、
前記同一チャネル干渉リストを前記ネットワークノードと接続されたＵＥに送信することと
を有することを特徴とする方法。
【請求項２】
前記情報はＸ２インタフェースを通して前記隣接ネットワークノードから受信されることを特徴とする請求項１に記載の方法。
【請求項３】
前記同一チャネル干渉リストが更新されているかどうかを判定することと、
更新されているならば、前記同一チャネル干渉リストを送信することと
を更に有することを特徴とする請求項１または２に記載の方法。
【請求項４】
ネットワークノードと接続されたＵＥの利用位置情報を、前記同一チャネル干渉リストを決定することにおいて利用することを更に有することを特徴とする請求項１または２に記載の方法。
【請求項５】
受信した前記情報が無線ネットワーク一時識別子（ＲＮＴＩ）であることを特徴とする請求項１または２に記載の方法。
【請求項６】
基準信号受信電力（ＲＳＲＰ）値を前記ネットワークノードに接続されたユーザ装置から受信することを更に有することを特徴とする請求項１または２に記載の方法。
【請求項７】
前記ＲＳＲＰが所定の域値を下回るチャネルを前記同一チャネル干渉リストから削除することを更に有することを特徴とする請求項６に記載の方法。
【請求項８】
前記同一チャネル干渉リストが、無線リソース制御（ＲＲＣ）シグナリングメッセージを通して送信されることを特徴とする請求項１または２に記載の方法。
【請求項９】
前記同一チャネル干渉リストが、媒体アクセス制御（ＭＡＣ）シグナリングメッセージを通して送信されることを特徴とする請求項１または２に記載の方法。
【請求項１０】
同一の同一チャネル干渉リストが前記ネットワークノードに接続されたＵＥに送信されることを特徴とする請求項１または２に記載の方法。
【請求項１１】
前記ネットワークノードに接続されたＵＥに送信された前記同一チャネル干渉リストが各受信ＵＥに固有であることを特徴とする請求項１または２に記載の方法。
【請求項１２】
ネットワークノードであって、
隣接ノードと接続されたユーザ装置と関連する前記隣接ノードからの情報を前記隣接ネットワークノードから受信する受信手段と、
受信した前記情報に基づいた同一チャネル干渉リストを決定するプロセッサと、
受信した前記ユーザ装置情報と前記同一チャネル干渉リストとを記憶するメモリと、
前記同一チャネル干渉リストを前記ネットワークノードと接続されたＵＥに送信する送信手段と
を有することを特徴とするネットワークノード。
【請求項１３】
前記情報はＸ２インタフェースを通して前記隣接ネットワークノードから受信されることを特徴とする請求項１２に記載のネットワークノード。
【請求項１４】
コンピュータプログラムであって、実行された際に、
隣接ネットワークノードに接続された少なくとも１つのアクティブなユーザ装置（ＵＥ）のために隣接ネットワークノードから情報を受信することと、
前記ネットワークノードに接続されたユーザ装置（ＵＥ）のために、受信した前記情報に基づく同一チャネル干渉リストを決定することと、
前記同一チャネル干渉リストを前記ネットワークノードに接続されたＵＥに送信することと
を、前記ネットワークノードに実行させるためのコンピュータ読取り可能なプログラムモジュールを含むコンピュータプログラム。
【請求項１５】
前記情報はＸ２インタフェースを通して前記隣接ネットワークノードから受信されることを特徴とする請求項１４に記載のコンピュータプログラム。
【請求項１６】
在圏セルと接続されたユーザ装置の受信性能を改善する方法であって、
隣接セルを検出することと、
検出された前記セルの信号強度値を測定することと、
検出された前記セルと、対応する前記信号強度値とを記憶することと、
同一チャネルセル干渉リストを受信することと、
前記受信したリストに含まれたセルのＩＤと記憶された前記セルのＩＤとを比較して一致するセルを識別することと、
前記ユーザ装置により受信したデータのデコーディング性能を改善するために一致したセルのＩＤを利用することと
を有する方法。
【請求項１７】
セルを検出するために所定の間隔でセルを検索することを更に有することを特徴とする請求項１６に記載の方法。
【請求項１８】
検出された前記セルが、前記ユーザ装置の潜在的なハンドオーバー候補であることを特徴とする請求項１６に記載の方法。
【請求項１９】
所定の間隔で前記信号強度値を測定することを更に有することを特徴とする請求項１７に記載の方法。
【請求項２０】
ユーザ装置であって、
在圏セルと通信するための通信インタフェースと、
隣接セルをセル検索プロセスで検出し、前記在圏セルから同一チャネル干渉リストを受信するためのセル検索ユニットと、
検出された前記セルの信号強度値を測定するためのプロセッサと、
検出された前記セルのＩＤと測定された前記信号強度値とを記憶するためのメモリであって、前記プロセッサが、前記同一チャネル干渉リストに含まれたセルのセルＩＤのうちのどれが検出された前記リストに属するか判定し、判定された情報は、前記ユーザ装置におけるデコーディングを改善するために用いられるところのメモリと
を有することを特徴とするユーザ装置。
【国際調査報告】
2014518483.tif 000010
2014518483.tif 000011
2014518483.tif 000012